(57)【要約】【課題】  一般に殺虫、殺菌をする手段として、殺虫効果や殺菌効果のある薬液を霧状化して散布する方法が採用されているが、これらの薬液は蓄積されると人畜や地球環境に対し、悪影響を及ぼす恐れが存在する。人畜無害で、地球環境にも害を与えない殺虫、殺菌噴霧装置を提供する。【解決手段】  トリガー式噴霧器のトリガーの揺動運動に付帯する動きに同期させて圧電ユニットを作動させる手段と、該圧電ユニットが発生する電気エネルギーを噴霧物体に印加する手段を講じ、水を媒体として電気的に殺虫、殺菌する機能を有する噴霧装置を実現した。【選択図】図１
2016043306.tif 000002
【特許請求の範囲】
【請求項１】
揺動するトリガーの揺動運動をピストンの往復運動に変換し、垂下した吸い込みチューブにより液体容器内の液体を吸い込んで、ノズルより霧状に噴出させるトリガー式噴霧器の揺動運動に付帯する動きに同期させて圧電ユニットを作動させる手段と、該圧電ユニットが発生する電気エネルギーを前記霧状物体に印加する手段を具備した噴霧装置。
【発明の詳細な説明】
【技術分野】
【０００１】
本発明は、人畜無害の普通の水を使用して殺虫、殺菌効果が得られる噴霧装置に関する。
【背景技術】
【０００２】
一般に殺虫、殺菌をする手段として、殺虫効果や殺菌効果のある薬液を霧状化して散布する方法が採用されているが、これらの薬液は蓄積されると人畜や地球環境に対し、悪影響を及ぼす恐れが存在する。
【０００３】
農業においては薬液の使用量を減じる一方法として、霧状化した薬液を高電圧で帯電させ、静電塗装の原理を用いて効率よく作物に付着させる努力がなされている。（例えば非特許文献１）
【０００４】
また家庭内においては殺虫効果や殺菌効果のある薬液を散布する代わりに凍結剤を用い、目標物を凍死させる新たな方法が出現しているが、凍結剤自体が人畜や地球環境に害を与えない保証はない。（例えば非特許文献２）
【先行技術文献】
【非特許文献】
【０００５】
【非特許文献１】有光工業  ホームページ（静電噴口）
【非特許文献２】アース製薬  ホームページ（冷凍殺虫）
【発明の概要】
【発明が解決しようとする課題】
【０００６】
以上に記した従来の殺虫、殺菌方法では人畜や地球環境に対し、悪影響を及ぼす恐れを完全に払拭することが不可能である。
【０００７】
本発明は、上記した従来の殺虫、殺菌方法が有していた問題を解決しようとするものであり、人畜無害の普通の水を使用して殺虫、殺菌効果が得られる噴霧装置を提供することを目的とする。
【課題を解決するための手段】
【０００８】
本発明は、上記目的を達成するために、トリガー式噴霧器のトリガーの揺動運動に付帯する動きに同期させて圧電ユニットを作動させる手段と、該圧電ユニットが発生する電気エネルギーを噴霧物体に印加する手段を講じ、電気的に殺虫、殺菌する機能を有する噴霧装置を実現した。
【発明の効果】
【０００９】
本発明によれば上記した構成により、普通の水を媒体としてして殺虫、殺菌効果が得られるので、人畜や地球環境に対し悪影響を及ぼすことがなく、食卓の上に舞う蚊やハエに噴霧しても全く悪影響を生じることがない。
（２）
【００１０】
また圧電ユニットで発生させた高圧電気をエネルギー源としているので、水さえ入手できれば、場所を選ばずに半永久的に使用することが可能となる。
【図面の簡単な説明】
【００１１】
【図１】本発明の一実施例を示す一部断面で示した概略図である。
【図２】本発明で使用するワイヤー及びアース棒からなる接地器具である。
【図３】本発明の説明に供した並列共振型タンク回路図である。
【図４】本発明の説明に供した直列共振型タンク回路図である。
【発明を実施するための形態】
【００１２】
揺動するトリガーの揺動運動をピストンの往復運動に変換し、垂下した吸い込みチューブにより液体容器内の液体を吸い込んで、ノズルより霧状に噴出させるトリガー式噴霧器の揺動運動に付帯する動きに同期させて圧電ユニットを作動させる手段と、該圧電ユニットが発生する電気エネルギーを前記霧状物体に印加する手段を講じ、電気的に殺虫、殺菌する機能を有する噴霧装置を実現したものである。
【実施例１】
【００１３】
以下、図面を参照しながら本発明の実施の形態例について詳細に説明する。
【００１４】
図１は本発明の一実施例を示す一部断面で示した概略図であるが、上部ハウジングＨに固着された支点Ｏ１を中心にトリガーＴは揺動運動可能となっており、その揺動運動はトリガーＴとポンプＰ間に設けた自在カムＯ２を介し、ポンプＰに直線運動化した動力を伝達可能としている。
【００１５】
ポンプＰは垂下した吸い込みチューブＫ２により液体容器Ｂ内の液体（図示せず）を吸い込んで、吐き出しチューブＫ１を介しノズルＮより霧状に噴出させる。
【００１６】
上記は公知のトリガー式噴霧器の一般的構造及び動作原理であるが、本発明は加えて、トリガー式噴霧器の揺動運動に付帯する動きに同期させて圧電ユニットを作動させる手段を設けている。
【００１７】
具体的にはトリガーＴの回転運動を上部ハウジングＨに固着した圧電ユニットＶの作動突起に伝達し、駆動している。
【００１８】
圧電ユニットＶが作動するタイミングは、噴霧が始まる以前では早過ぎ、噴霧が終了してからでは遅過ぎるので、噴霧物体が目標物に到達する時期と一致するよう、圧電ユニットＶの作動突起をネジ構造にし、トリガーＴ間と圧電ユニットＶの作動突起間の間隔が調整可能となっている。
【００１９】
圧電ユニットＶの出力高電圧は、接続ワイヤーＷ１及びＷ２を介し、各々ノズルＮ内に設けた導体片（図示せず）と接地端子Ｇに接続されている。
【００２０】
（３）
噴霧物体に高電圧を印加する方法は、噴霧物体に出力高電圧を導体片を介し直接接触させる方法、絶縁された環状導体に出力高電圧を印加し、環状導体の中を噴霧物体が通過するよう構成して間接的に噴霧物体に出力高電圧を印加する方法があるが、いずれも公知の技術であるのでここではこれ以上詳細に説明しない。
【００２１】
実際の使用に当たって、例えば植物寄生物の殺虫及び殺菌では、第２図に示すワイヤーＷ３及びアース棒Ｅからなる接地器具のワイヤーＷ３の一端を接地端子Ｇに接続し、アース棒Ｅを目標とする植物の近傍の大地に挿入して、目標とする植物に向けトリガーを引いて噴霧する。
【００２２】
上記する状態において、圧電ユニットＶの出力高電圧は、ノズルＮより霧状に噴出させた液滴を介し、植物→大地→接地器具の通電ループを構成する。
【００２３】
従って植物に寄生した害虫、菌類は感電死して果てり、植物及びその周辺には人畜無害で、地球環境にも害を与えない水滴だけが残ることとなる。
【実施例２】
【００２４】
次に食卓の上に舞う蚊やハエのように接地が不可能な対象物に対する実施例を図に従って詳細に説明する。
【００２５】
圧電ユニットＶの出力高電圧は、直流に近い性質を有しているので、前記した通電ループを確保する必要があるが、空中に舞う蚊やハエに通電ループを形成するには、独立したノズルを複数設け、各々に圧電ユニットＶの出力高電圧の極性を異にして印加する必要があり、コスト的、形状的に不利益が大である。
【００２６】
上記問題を解決するために、本願出願人は接地しなくても通電可能な性質を有する高周波電気特性に着目し、圧電ユニットＶの出力高電圧を図３及び図４に示すコンデンサーＣ及びコイルＬからなる並列共振型及び直列共振型タンク回路を経由させ、圧電ユニットＶの出力高電圧の高周波化を実現した。
【００２７】
前記タンク回路の共振周波数は１３．５６ＭＨｚ±６．７８ｋＨｚまたは２７．１２ＭＨｚ±１６２．７２ｋＨｚまたは４０．６８ＭＨｚ±２０．３４ｋＨｚとなっていて、その選定理由は電波法及びその他の法規制対策で、タンク回路はプリント基板上に形成され、
上部ハウジングＨ内に収納される。（図示せず）
【００２８】
トリガーＴの回転運動を利用して電気エネルギーを得る他の方法として、直流モーター（発電機）の回転軸をギアーを介してトリガーＴの回転運動に結合させれば可能ではあるが、該出力電圧は数ボルトと低電圧なので昇圧手段が必須となり、コスト的、重量的に好ましくないが、エネルギー発生期間が瞬時ではなく、長いという利点は有している。
【００２９】
上記説明のとおり、本発明によれば普通の水を媒体とし、圧電ユニットで発生させた高圧電気をエネルギー源として殺虫、殺菌効果を獲得しているので、人畜や地球環境に対し悪影響を及ぼすことのない噴霧装置が実現可能となった。
（４）
【産業上の利用可能性】
【００３０】
いくつかの植物、例えばキノコ類は帯電した液体に積極的に反応し、成長率の改善を現し得ることも判明しているので、植物の成長促進装置としても期待できる。
【符号の説明】
【００３１】
Ｔ：トリガー  Ｎ：ノズル  Ｏ１：支点  Ｏ２：自在カム  Ｐ：ポンプ  Ｇ：接地端子
Ｖ：圧電ユニット  Ｈ：上部ハウジング  Ｂ：液体容器  Ｗ１，Ｗ２，Ｗ３：ワイヤー  
Ｋ１：吐き出しチューブ  Ｋ２：吸い込みチューブ  Ｅ：アース棒  Ｃ：コンデンサー
Ｌ：コイル
【図１】
2016043306.tif 000003
【図２】
2016043306.tif 000004
【図３】
2016043306.tif 000005
【図４】
2016043306.tif 000006